(57)【要約】【課題】通行人等の挟み込みを防止できるばかりでなく、構造の簡素化、軽量化、省電力化、さらには組み立てや交換作業の簡素化が可能な循環風除装置を提供する。【解決手段】屋内外の出入口を連通する通路７を挟んで対向する円弧状の一対の案内壁２，２と、一対の案内壁２，２が形成する円の中心部分に設けられて上下方向に延びるブロック体３と、一対の案内壁２，２が形成する円の中心から案内壁２，２に向かって延びる支持アーム部１７を複数有し、駆動源の動力によって前記円の中心を回転中心として前記通路上方で回転する移動体４と、ブロック体３と案内壁２，２との間を仕切る幅を有すると共に、下端が自由端となって通路７の床面８に近接するようにそれぞれの支持アーム部１７から吊り下げられる透明な可撓性樹脂シートからなる仕切りパネル５とを備える。【選択図】図１
2010121279.tif 000002
【特許請求の範囲】
【請求項１】
屋内外の出入口を連通する通路の内部に配置されて通路を前記出入口を循環する循環路とするブロック体と、
前記循環路となっている通路を挟んで対向する一対の案内壁と、
前記ブロック体から前記案内壁に延びる支持アーム部を複数有し、駆動源の動力によって前記支持アーム部が前記循環路上方で循環路に沿って循環移動する移動体と、
前記ブロック体と案内壁との間を仕切る幅を有すると共に、下端が自由端となって前記通路の床面に近接するように前記それぞれの支持アーム部から吊り下げられる透明な可撓性樹脂シートからなる仕切りパネルと、を備えていることを特徴とする循環風除装置。
【請求項２】
屋内外の出入口を連通する通路を挟んで対向する円弧状の一対の案内壁と、
一対の案内壁が形成する円の中心部分に設けられて上下方向に延びるブロック体と、
前記一対の案内壁が形成する円の中心から前記案内壁に向かって延びる支持アーム部を複数有し、駆動源の動力によって前記円の中心を回転中心として前記通路上方で回転する移動体と、
前記ブロック体と案内壁との間を仕切る幅を有すると共に、下端が自由端となって前記通路の床面に近接するように前記それぞれの支持アーム部から吊り下げられる透明な可撓性樹脂シートからなる仕切りパネルと、を備えていることを特徴とする循環風除装置。
【請求項３】
前記仕切りパネルは、前記支持アーム部に対して着脱自在に吊り下げられることを特徴とする請求項１又は２記載の循環風除装置。
【請求項４】
前記仕切りパネルは、可撓性樹脂シートからなる錘片が下部の全幅にわたって取り付けられていることを特徴とする請求項１〜３のいずれか１項に記載の循環風除装置。
【請求項５】
前記仕切りパネルは、前記通路の床面と接触するブラシ体が下部に着脱自在に取り付けられていることを特徴とする請求項１〜４のいずれか１項に記載の循環風除装置。
【請求項６】
前記錘片は、前記仕切りパネルの下部に着脱自在に取り付けられることを特徴とする請求項５記載の循環風除装置。
【請求項７】
前記仕切りパネルは、前記ブロック体と案内壁との間を複数に分割した小幅寸法の透明な可撓性樹脂シートからなる複数のパネル片を隣り合わせに重ね合わせることにより形成されていることを特徴とする請求項１〜５のいずれか１項に記載の循環風除装置。
【請求項８】
前記パネル片は、前記支持アーム部に吊り下げられる本体部と、この本体部の側端部から幅方向に延びる重ね合わせ部とからなり、前記重ね合わせ部が隣接するパネル片の本体部に重ね合わせられることを特徴とする請求項７記載の循環風除装置。
【請求項９】
前記重ね合わせ部は、隣接するパネル片の本体部に対して上部が連結されていることを特徴とする請求項８記載の循環風除装置。
【請求項１０】
前記ブロック体は、前記支持アーム部から吊り下げられた可撓性樹脂シートからなるショーウィンド壁を外側に備えていることを特徴とする請求項２記載の循環風除装置。
【請求項１１】
屋内外の出入口を連通する通路を幅方向に複数に分割した小幅寸法の透明な可撓性樹脂シートによってパネル片が形成されており、前記パネル片の複数が隣り合わせに重ねられて前記通路を仕切ると共に、それぞれのパネル片の下端が自由端となって前記通路の床面に近接するように吊り下げられる構造の風除装置であって、
前記パネル片は、前記吊り下げがなされる本体部と、この本体部の側端部から幅方向に延びる重ね合わせ部とからなり、前記重ね合わせ部が隣接するパネル片の本体部に重ね合わせられることを特徴とする風除装置。
【発明の詳細な説明】
【技術分野】
【０００１】
本発明は、ビルディング等の建造物の内部の空調環境を維持するために建造物の出入口に設けられる循環風除装置及び風除装置に関する。
【背景技術】
【０００２】
風除装置は、建造物内外への通行を妨げることなく、建造物の内部と外部とを遮断して冷暖房効果を維持するため、建造物の出入口に設けられている。このように建造物の冷暖房効果を維持することにより、冷暖房のためのエネルギーを省力化することができ、環境保全（エコ）を向上させることができる。かかる風除装置においては、屋内外の通路を形成するための一対の案内壁の内部でドアパネルが回転し、この回転によって建造物への出入りを可能としている。このような風除装置においては、ドアパネルの回転中に通行人や荷物がドアパネルと案内壁との間に挟まれる危険性がある。
【０００３】
特許文献１には、ドアパネルと案内壁との間への通行人等の挟み込みの危険性を考慮した従来の構造が開示されている。この従来の構造は、ドアパネルを第１ドアパネル体と、第１ドアパネル体に取り付けられた第２ドアパネル体とに分割した構成とするものである。第２ドアパネル体は、第１ドアパネル体に対し、案内壁側に位置している。そして、第１ドアパネル体には、強化ガラス等のガラス板が嵌め込まれ、第２ドアパネル体には、ポリカーボネート等の硬質樹脂が嵌め込まれており、これらにより案内壁内の通路を遮断している。
【０００４】
さらに、第２ドアパネル体は、上下に延びる長いヒンジ軸を介して第１ドアパネル体に回動可能に連結されると共に、ばねによって第１ドアパネル体と一直線上に位置した展開状態となるように付勢されている。このような構造では、通行人等がドアパネルと案内壁との間に挟み込まれて第２ドアパネル体に外力が作用すると、第２ドアパネル体が、ばねの付勢力に抗して回動して第１ドアパネル体側に折り畳まれる。これにより、通行人等を挟み込み状態から解放することができる。
【特許文献１】特開２００５−２９９３６３号公報
【発明の開示】
【発明が解決しようとする課題】
【０００５】
しかしながら、従来の構造では、次のような問題を有している。
（１）ドアパネルを第１ドアパネル体及び第２ドアパネル体に分割した構造であり、しかも第２ドアパネル体が展開状態及び折り畳み状態との間で姿勢変更するためのヒンジ軸やばね、さらにはこれらを組み付けるための付加部品や付加構造が必要となる。このため、ドアパネルの構造が複雑となるばかりでなく、組み立てが面倒となる。
【０００６】
（２）重量が大きなガラス板を嵌め込んでいると共に、長いヒンジ軸やばねの組み込み用部品等の多くの部品が必要となる。このため、第１ドアパネル体及び第２ドアパネル体からなるドアパネルの全体が重たくなる。これにより、ドアパネルを回転させるモータ等の駆動源の出力が大きくなり、駆動源が大型化したり、消費電力が多く必要となる。
【０００７】
（３）ドアパネルが第１ドアパネル体及び第２ドアパネル体に分割した複雑な構造であるため、ドアパネルの取り扱いや交換作業が面倒となる。
【０００８】
本発明は、このような従来構造の問題点を考慮してなされたものであり、通行人等の挟み込みを防止できるばかりでなく、構造の簡素化、軽量化、省電力化、さらには組み立てや交換作業の簡素化が可能な循環風除装置及び風除装置を提供することを目的とする。
【課題を解決するための手段】
【０００９】
請求項１記載の発明の循環風除装置は、屋内外の出入口を連通する通路の内部に配置されて通路を前記出入口を循環する循環路とするブロック体と、前記循環路となっている通路を挟んで対向する一対の案内壁と、前記ブロック体から前記案内壁に延びる支持アーム部を複数有し、駆動源の動力によって前記支持アーム部が前記循環路上方で循環路に沿って循環移動する移動体と、前記ブロック体と案内壁との間を仕切る幅を有すると共に、下端が自由端となって前記通路の床面に近接するように前記それぞれの支持アーム部から吊り下げられる透明な可撓性樹脂シートからなる仕切りパネルと、を備えていることを特徴とする。
【００１０】
請求項２記載の発明の循環風除装置は、屋内外の出入口を連通する通路を挟んで対向する円弧状の一対の案内壁と、一対の案内壁が形成する円の中心部分に設けられて上下方向に延びるブロック体と、前記一対の案内壁が形成する円の中心から前記案内壁に向かって延びる支持アーム部を複数有し、駆動源の動力によって前記円の中心を回転中心として前記通路上方で回転する移動体と、前記ブロック体と案内壁との間を仕切る幅を有すると共に、下端が自由端となって前記通路の床面に近接するように前記それぞれの支持アーム部から吊り下げられる透明な可撓性樹脂シートからなる仕切りパネルと、を備えていることを特徴とする。
【００１１】
請求項３記載の発明は、請求項１又は２記載の循環風除装置であって、前記仕切りパネルは、前記支持アーム部に対して着脱自在に吊り下げられることを特徴とする。
【００１２】
請求項４記載の発明は、請求項１〜３のいずれか１項に記載の循環風除装置であって、前記仕切りパネルは、可撓性樹脂シートからなる錘片が下部の全幅にわたって取り付けられていることを特徴とする。
【００１３】
請求項５記載の発明は、請求項１〜４のいずれか１項に記載の循環風除装置であって、前記仕切りパネルは、前記通路の床面と接触するブラシ体が下部に着脱自在に取り付けられていることを特徴とする。
【００１４】
請求項６記載の発明は、請求項５記載の循環風除装置であって、前記錘片は、前記仕切りパネルの下部に着脱自在に取り付けられることを特徴とする。
【００１５】
請求項７記載の発明は、請求項１〜５のいずれか１項に記載の循環風除装置であって、前記仕切りパネルは、前記ブロック体と案内壁との間を複数に分割した小幅寸法の透明な可撓性樹脂シートからなる複数のパネル片を隣り合わせに重ね合わせることにより形成されていることを特徴とする。
【００１６】
請求項８記載の発明は、請求項７記載の循環風除装置であって、前記パネル片は、前記支持アーム部に吊り下げられる本体部と、この本体部の側端部から幅方向に延びる重ね合わせ部とからなり、前記重ね合わせ部が隣接するパネル片の本体部に重ね合わせられることを特徴とする。
【００１７】
請求項９記載の発明は、請求項８記載の循環風除装置であって、前記重ね合わせ部は、隣接するパネル片の本体部に対して上部が連結されていることを特徴とする。
【００１８】
請求項１０記載の発明は、請求項２記載の循環風除装置であって、前記ブロック体は、前記支持アーム部から吊り下げられた可撓性樹脂シートからなるショーウィンド壁を外側に備えていることを特徴とする。
【００１９】
請求項１１記載の発明の風除装置は、屋内外の出入口を連通する通路を幅方向に複数に分割した小幅寸法の透明な可撓性樹脂シートによってパネル片が形成されており、前記パネル片の複数が隣り合わせに重ねられて前記通路を仕切ると共に、それぞれのパネル片の下端が自由端となって前記通路の床面に近接するように吊り下げられる構造の風除装置であって、前記パネル片は、前記吊り下げがなされる本体部と、この本体部の側端部から幅方向に延びる重ね合わせ部とからなり、前記重ね合わせ部が隣接するパネル片の本体部に重ね合わせられることを特徴とする。
【発明の効果】
【００２０】
本発明の循環風除装置によれば、ブロック体と外方側の案内壁との間を仕切る仕切りパネルとして、可撓性樹脂シートを用い、この可撓性樹脂シートを移動体の支持アーム部から吊り下げた構造としており、通行人等が接触すると、仕切りパネルは通行人等から逃げるように簡単に撓む。このため、通行人等の挟み込みを確実に防止することができる。
【００２１】
又、本発明の循環風除装置によれば、仕切りパネルを支持アーム部から吊り下げる構造であるため、簡単な構造とすることができる。このため、組み立てや交換作業が容易となる。さらには、仕切りパネルを樹脂シートによって形成しているため、仕切りパネルが軽量となる。このため、仕切りパネルの回転のための駆動源を小型化できると共に消費電力を少なくすることができる。
【００２２】
又、本発明の風除装置によれば、通路を複数のパネル片によって仕切ると共に、このパネル片を吊り下げがなされる本体部と、この本体部から幅方向に延びる重ね合わせ部とによって形成しているため、通路からの風邪抜けを防止できて冷暖房効果を確実に維持することができると共に、パネル片の間から通行人等が簡単に通行することができる。
【発明を実施するための最良の形態】
【００２３】
以下、本発明を図示する実施形態により具体的に説明する。なお、各実施形態において、同一の部材には同一の符号を付して対応させてある。
【００２４】
（第１実施形態）
図１〜図６は、本発明の第１実施形態の循環風除装置１を示す。循環風除装置１は、一対の案内壁２，２と、ブロック体３と、移動体４と、仕切りパネル５とを備えている。
【００２５】
一対の案内壁２，２は、建造物の出入口に設けられており、建造物の出入口が形成される壁部６に外側壁が密着した状態で床面８から立ち上がっている。図２及び図３に示すように、一対の案内壁２，２は、対向面が外側（壁部６）に向かって窪むように湾曲された円弧形状となっている。すなわち、一対の案内壁２，２を結ぶ仮想線は所定半径を有した円となるものである。かかる一対の案内壁２，２によって挟まれた床面８上が通行人等の通路７となり、通行人等は循環風除装置１内を通過するように通路７上を移動することにより建造物への出入りが可能となる。
【００２６】
ブロック体３は、円弧状の一対の案内壁２，２が形成する円の中心部分に設けられている。ブロック体３は、全体が円筒形状となっており、上記円の中心部分で上下方向に延びるように設けられている。このような円筒形状のブロック体３は、一対の案内壁２，２の内方側に位置するように設けられる。これにより、案内壁２，２内の通路７が円形となる。この実施形態において、ブロック体３は、回転体１１及びショーウィンド壁１３を備えている。
【００２７】
回転体１１は、金属からなる中空状の軸体により形成されており、円弧状の一対の案内壁２，２が形成する円の中心部分に設けられる。回転体１１は、電動モータ、油圧モータ等からなる駆動源１５の回転軸１５ａに上部が連結された状態で垂れ下がっており、駆動源１５の動力により回転する。駆動源１５は、循環風除装置１の全体を支持するフレーム１６に固定され、駆動のための電力、油圧が供給されることにより回転駆動する。なお、回転体１１の下端部１１ａは小径となっており、図１に示すように、床面８に形成された窪み部８ａに支持されている。これにより、回転体１１の回転がぶれないようになっている。
【００２８】
ショーウィンド壁１３は、回転体１１の外側に設けられており、間隔を有して回転体１１の周囲を囲んでいる。ショーウィンド壁１３については、後述する。
【００２９】
移動体４は、一対の案内壁２，２の上部に設けられている。図２に示すように、移動体４は、一対の案内壁２，２が形成する円の中心から案内壁２，２の方向に向かって延びる複数の支持アーム部１７と、複数の支持アーム部１７の延設端部と一体となっている環状のリング体１８とを備え、全体が金属によって形成されている。
【００３０】
この実施形態において、支持アーム部１７は、上記円の中心から半径方向に直線状となって４つが放射状に延びている。又、４つの支持アーム部１７は、円の４等分位置に設けられている。それぞれの支持アーム部１７の内側端部は、回転体１１に溶接、ボルト止め等により固定されている。従って、移動体４の全体は、回転体１１の回転に伴って回転体１１と一体となって通路７の上方で回転する。
【００３１】
環状のリング体１８は、一対の案内壁２，２が形成する円を中心とした円環状となっている。リング体１８は、一対の案内壁２，２の上方に位置しており、一対の案内壁２，２が形成する仮想円に沿って回転する。図１に示すように、一対の案内壁２，２の上面には、回転可能なボール１９が案内壁２，２に沿って埋め込み状に設けられており、リング体１８の下面がボール１９に接触している。このような構造では、移動体４が回転する際に、リング体１８がボール１９に支持されるため、移動体４の回転を小さな駆動力で行うことができる。又、リング体１８がボール１９に接触して支持されるため、移動体４全体の回転が安定する。
【００３２】
仕切りパネル５は、移動体４のそれぞれの支持アーム部１７に吊り下げられている。仕切りパネル５を吊り下げるため、それぞれの支持アーム部１７は、Ｔ字形に形成されており、図４に示すように、吊り下げ竿部１７ａが一体に垂下している。この吊り下げ竿部１７ａには、吊り下げ孔１７ｂが形成されている。後述するように、仕切りパネル５は、ブロック体３のショーウィンド壁１３と、案内壁２との間を仕切る幅を有すると共に、吊り下げられた下端は、自由端となっている。又、仕切りパネル５は、自由端となっている下端が通路７の床面８に近接するように長さが設定されている。
【００３３】
次に、仕切りパネル５の構造を図４及び図５により説明する。この実施形態において、仕切りパネル５は、複数のパネル片２１を隣り合わせに重ね合わせることにより形成されるものである。パネル片２１は、ブロック体３のショーウィンド壁１３と案内壁２との間を複数に分割した小幅寸法となっている。このような小幅寸法のパネル片２１の複数を隣り合わせに重ね合わせることにより仕切りパネル５を形成することができ、このように形成された仕切りパネル５は、図３に示すように、ショーウィンド壁１３と案内壁２との間を仕切ることができる。従って、仕切りパネル５が建造物内外の空気の流通を遮断することができる。
【００３４】
図５に示すように、それぞれのパネル片２１は、帯状となって上下方向に延びる本体部２２と、本体部２２の側端部から幅方向に延びる重ね合わせ部２３とが一体となって形成されている。本体部２２は、支持アーム部１７に吊り下げられる部分であり、上部には、吊り下げのための吊り孔２４が形成されている。吊り孔２４と支持アーム部１７の吊り下げ孔１７ｂとに吊りボルト２７（図４参照）を貫通させ、ボルト２７の貫通端にナットを結合することによりパネル片２１を支持アーム部１７に吊り下げることができる。
【００３５】
このような吊り下げでは、パネル片２１すなわち仕切りパネル５が支持アーム部１７に着脱自在となるため、パネル片２１の交換を簡単に行うことができる。なお、パネル片２１を支持アーム部１７に着脱自在に取り付ける構造としては、ボルト、ナット以外の部材を適宜用いることができる。例えば、支持アーム部１７にフックを形成し、パネル片２１をフックに引っ掛けて吊り下げても良い。
【００３６】
重ね合わせ部２３は、本体部２２における吊り孔２４形成部位を除いた部分の側端部から幅方向に延びている。なお、本体部２２においては、支持アーム部１７に吊り下げられたときに、その下端が通路７の床面８に近接するようにその長さが設定されている。これに対し、重ね合わせ部２３においては、その長さを本体部２２と同様に設定しても良く、本体部２２よりも短くなるように設定しても良い。
【００３７】
パネル片２１の重ね合わせにおいては、パネル片２１の重ね合わせ部２３が隣接するパネル片２１の本体部２２に重ね合わせられる。この重ね合わせに際して、重ね合わせ部２３の上部は、隣接するパネル片２１の本体部２２と連結される。この連結は、重ね合わせ部２３の上部と、重ね合わせ部２３と重なっているパネル片２１の本体部２２とをボルト及びナットによって連結することにより行うことができる。この連結のため、重ね合わせ部２３の上部には、連結孔２５が形成されている。このようなボルト、ナットによる連結では、隣接するパネル片２１を重ね合わせた状態から離すことができるため、パネル片２１それぞれの交換を簡単に行うことができる。
【００３８】
又、重ね合わせ部２３の上部が隣接する本体部２２に連結されることにより、他の部分は単に重なっただけの状態となっているため、重ね合わせ部２３と隣接している本体部２２とを離すことができ、これらの間を通行することができる。なお、本体部２２と重ね合わせ部２３との連結手段としては、面ファスナー等の他の手段を用いることができる。
【００３９】
以上のようにパネル片２１の重ね合わせ部２３を隣接するパネル片２１の本体部２２に重ね合わせることにより、隣接するパネル片２１の間から風が抜け出ることがなくなる。このため、複数のパネル片２１の重ね合わせによって仕切りパネル５を形成しても、建造物内外の空気が循環風除装置１を通じて抜けることがなくなる。これにより、建造物の冷暖房効果を確実に維持することができる。このように、建造物の冷暖房効果を維持することができることにより、冷暖房のためのエネルギーを省力化することができ、環境保全を向上させることができる。
【００４０】
パネル片２１は、透明な可撓性樹脂シートによって形成されるものである。この樹脂としては、ポリ塩化ビニル、ポリエチレン、ポリプロピレン、ナイロン等のポリアミド、ポリイミド、メタクリル樹脂、ブタジエン・スチレン樹脂或いは合成ゴム、天然ゴム、その他の材料を選択することができる。パネル片２１としては、支持アーム部１７から吊り下げたときに、支持アーム部１７から垂直状に吊り下がった状態を維持する重量を有することが好ましい。従って、パネル片２１は、このような重量を有するように厚さが選定される。又、パネル片２１として透明な樹脂シートを用いることにより、複数のパネル片２１からなる仕切りパネル５の全体が透明となる。このため、循環風除装置１を通行する際の透視性及び視認性を確保することができる。
【００４１】
以上の実施形態では、パネル片２１を可撓性樹脂シートにより形成し、しかも支持アーム部１７から吊り下げた構造とし、このパネル片２１を重ね合わせることにより仕切りパネル５を形成しているため、仕切りパネル５に通行人等が接触すると、仕切りパネル５が通行人等から逃げるように簡単に撓むことができる。このため、通行人等が仕切りパネル５と案内壁２との間に挟み込まれることがなく、安全性が向上する。特に、重ね合わせ部２３の上部だけを隣接するパネル片２１の本体部２２と連結した構造のため、通行人等が重ね合わせ部２３と本体部２２との間をくぐり抜けることができる。このため、さらに安全性が向上する。
【００４２】
又、この実施形態では、仕切りパネル５が支持アーム部１７から吊り下げられる構造であるため、簡単な構造とすることができる。このため、仕切りパネル５を含めた可動部分の組み立てが容易となると共に仕切りパネル５の交換作業が容易となる。さらには、仕切りパネル５を樹脂シートによって形成しているため、軽量となり、仕切りパネル５の回転のための駆動源を小型化できると共に消費電力を少なくすることができる。
【００４３】
図１〜図３に示すように、ショーウィンド壁１３は、上下方向に延びる円筒形状となっており、回転体１１の周囲に間隔Ｇを有した状態で位置している。ショーウィンド壁１３は、支持アーム部１７に上部が連結されることにより、支持アーム部１７から吊り下げされており、これにより移動体４の回転と共に回転する。ショーウィンド壁１３を吊り下げるため、ショーウインド壁１３の上部には、吊り下げ孔４４が形成されている。吊り下げ孔４４には、パネル片２１と同様にボルト（図示省略）が差し込まれるか、支持アーム部１７に設けたフック（図示省略）が差し込まれることによりショーウインド壁１３が支持アーム部１７に着脱自在に吊り下げられる。
【００４４】
ショーウィンド壁１３は、可撓性樹脂シートによって形成されており、ショーウィンド壁１３全体の軽量化が可能となっている。ショーウィンド壁１３が可撓性樹脂によって形成されることにより、通行人等がショーウィンド壁１３に接触しても、ショーウィンド壁１３が割れることなく、簡単に凹むことができる。このため、安全性を確保することができる。
【００４５】
ショーウィンド壁１３の外面には、風景等のキャラクターや文字等の画像を印刷することができ、これにより、所定の情報の表示を行うことができる。又、ショーウィンド壁１３としては、透明な可撓性樹脂シートを選択することができる。ショーウィンド壁１３を透明とすることにより、ショーウィンド壁１３の内部を透視することができる。このため、ショーウィンド壁１３と回転体１１との間隙Ｇの内部に商品等を展示することができ、これにより商品宣伝が可能となるメリットがある。
【００４６】
この実施形態においては、図１及び図４に示すように、仕切りパネル５の下部に錘片３０が取り付けられる。錘片３０は、各仕切りパネル５のパネル片２１に対応した横長さの錘片部３１を横並び状とすることにより形成されている。錘片部３１は、対応したパネル片２１の下部に着脱自在に取り付けられるものである。従って、全ての錘片部３１を合わせた錘片３０の長さは、複数のパネル片２１を重ね合わせて形成された仕切りパネル５の下部の全幅と同様となる。この実施形態では、複数の錘片部３１からなる錘片３０は、仕切りパネル５の両面に対して着脱自在に取り付けられている。
【００４７】
錘片部３１を仕切りパネル５に着脱自在に取り付ける構造としては、錘片部３１を仕切りパネル５の下部に重ね合わせた状態で、これらに連結ボルト３３を貫通させ、貫通端に連結ナット３４を螺合することにより行うことができる。ボルト３３，ナット３４にに限らず、面ファスナー、その他の手段によって着脱自在に取り付けても良い。
【００４８】
このような実施形態では、錘片部３１が各パネル片２１の下部に取り付けられるため、パネル片２１の重量を増加させることができる。このため、それぞれのパネル片２１が垂直状となって吊り下げられた状態を確実に支持することができる。これにより、仕切りパネル５の全体を緊張状態で垂直状に吊り下げることができる。かかる作用を行うため、錘片部３１が所定の重さを有するように、錘片部３１の厚みが適宜設定される。
【００４９】
錘片部３１としては、パネル片２１と同様な可撓性樹脂シートを用いることができる。可撓性樹脂シートを用いることにより、錘片部３１を仕切りパネル５に取り付けても仕切りパネル５全体の可撓性を維持することができる。このため、仕切りパネル５に通行人等が接触したときに仕切りパネル５が逃げるように撓むことができる。又、錘片部３１をパネル片２１に対して着脱自在に取り付ける構造では、錘片部３１の交換を簡単に行うことができる。なお、錘片部３１としては、透視性の点から透明な樹脂シートが好ましいが、不透明な樹脂シートであっても良い。
【００５０】
本発明において、錘片３０を複数の錘片部３１から構成することなく、横長の一枚の可撓性樹脂シートによって形成することもできる。この場合において、錘片３０は仕切りパネル２１の下部の全幅にわたって取り付けられる。
【００５１】
（第２実施形態）
図６は、本発明の第２実施形態を示す。この実施形態では、ブラシ体３７が仕切りパネル５の下部に取り付けられている。ブラシ体３７は、樹脂からなる基部３８と基部３８の下面から垂下するブラシ３９とによって形成されている。基部３８を仕切りパネル５の下端面に当接させると共に、錘片３０の錘片部３１によってブラシ体３７を挟み込む。この状態で連結ボルト４１をブラシ体３７及び錘片部３１に貫通させ、貫通端に連結ナット４２を螺合することによりブラシ体３７を着脱自在に取り付けることができる。
【００５２】
ブラシ体３７は、そのブラシ３９が通路の床面８と接触するように取り付けられるものである。このようなブラシ体３７を取り付けることにより、仕切りパネル５の回転の際に、ブラシ３９が床面８を摺動するため、床面８の清掃を行うことができる。又、ブラシ体３７が着脱自在となっているため、ブラシ体３７が汚れても、汚れたブラシ体３７を交換を簡単に行うことができる。
【００５３】
なお、この実施形態では、ブラシ体３７が取り付けられることから、仕切りパネル５の下端が床面８から幾分離れた状態となっている。その分、錘片部３１の下端を床面８に近接させている。これにより、床面８と仕切りパネル５との間からの空気の流通を錘片３０（錘片３０及びブラシ体３７）が遮断することができる。
【００５４】
（第３実施形態）
図７及び図８は本発明の第３実施形態を示す。この実施形態の循環風除装置５１は、屋内外の出入口を連通する通路５７を長円形とするものである。通路５７を挟むように壁部５６との交差方向に設けられる一対の案内壁５２、５２は、通路５７の長軸に沿うように直線状となって設けられている。
【００５５】
長円形の通路５７における長軸方向の略中央部分には、長軸方向に沿って長円形となって延びるブロック体５３が設けられている。ブロック体５３を通路５７の略中央部分に設けることにより、通路５７は出入口を循環する長円形の循環路となっている。
【００５６】
ブロック体５３の内部は、一対の支柱６０と、支柱６０に間接的に設けられたチェーン６３とによって形成されている。一対の支柱６０は、ブロック体５３の内部における長軸方向の両端部に対向して立設している。一方の支柱６０上には、電動モータ、油圧モータ等の駆動源（図示省略）に連結された駆動プーリ６１が取り付けられ、他方の支柱６０上には、従動プーリ６２が取り付けられている。チェーン６３は移動体となるものであり、これらのプーリ６１，６２に無端状となって掛け渡されている。チェーン６３はプーリ６１、６２の回転により循環路上方で循環路に沿って循環移動する。
【００５７】
チェーン６３には、複数の支持アーム部６４が取り付けられている。複数の支持アーム部６４は、チェーン６３（ブロック体５３）から案内壁５２の方向に延びており、その先端部が案内壁５２の上部に達している。それぞれの支持アーム部６４には、第１実施形態と同様に、重ね合わせられた複数のパネル片２１からなる仕切りパネル５が吊り下げられている。
【００５８】
この実施形態では、通路５７を長円形とし、通路５７の内部にブロック体５３を設けることにより、通路５７を長円の循環路とするものであり、その他の構成は、第１実施形態と同様である。すなわち、この実施形態では、仕切りパネル５を第１実施形態と同様に形成することにより、通行人等が接触しても仕切りパネル５が逃げる方向に撓むため安全性が確保される。又、仕切りパネル５が吊り下げられるため、組み立てや交換が容易となる。さらには、仕切りパネル５が軽量のため、駆動源を小型化でき、消費電力を少なくすることができる。
【００５９】
（第４実施形態）
図９は、本発明の第４実施形態としての風除装置７１を示す。図９に示すように、建造物が床面７４上に壁体７２、７２が対向して設けられており、壁体７２、７２の間が屋内外の出入口を連通する通路となっている。風除装置７１は、この通路内に配置される。
【００６０】
風除装置７１は、壁体７２、７２に掛け渡された支持アーム部７３に吊り下げられた仕切りパネル５によって形成されている。仕切りパネル５は、複数のパネル片２１を重ね合わせることにより形成されている。この場合、仕切りパネル５は、複数のパネル片２１の重ね合わせによって壁体７２、７２の間の通路を仕切るように配置される。複数のパネル片２１は、通路を幅方向に複数に分割した小幅寸法となっており、全体が透明な可撓性樹脂シートによって形成されている。透明な樹脂シートとしては、第１実施形態と同様の材料を用いることができ、通路を通行する際の透視性及び視認性を確保することができる。
【００６１】
それぞれのパネル片２１は、下端が自由端となっており、支持アーム部７３に吊り下げられることにより自由端が通路の床面７４に近接するように延びている。それぞれのパネル片２１は、第１実施形態及び第３実施形態と同様に、支持アーム部７３に吊り下げられる本体部２２と、本体部２２の側端部から幅方向に延びる重ね合わせ部２３とによって形成されている。
【００６２】
本体部２２は、支持アーム部７３と床面７４との間で帯状に延びる上下方向の長さを有している。本体部２２の上部には、ボルト等が貫通することによって支持アーム部７３に吊り下げられる吊り孔２４が幅方向に複数形成されている。重ね合わせ部２３は、本体部２２における吊り孔２４形成部位を除いた部分の側端部から幅方向に延びている。一のパネル片２１における重ね合わせ部２３は、隣接するパネル片２１の本体部２２に重ね合わせられる。そして、重ね合わせ部２３の上部が第１実施形態と同様に、隣接するパネル片２１の本体部２２にボルト及びナットあるいは面ファスナー等（図示省略）によって連結される。パネル片２１は、支持アーム部７３から垂直状に吊り下がった状態を維持するようにその重さが設定されるものであり、このため、そのような重さとなるようにパネル片２１の厚さが選定される。
【００６３】
このような重ね合わせ構造では、隣接しているパネル片２１の間を通って通行人等が通路を通過することができる。又、重ね合わせ部２３が隣接するパネル片２１の本体部２２に重ね合わされることにより、建造物内外の空気が通路から抜けることがなくなる。これにより、建造物の冷暖房効果を確実に維持することができ、環境保全を向上させることができる。
【００６４】
この実施形態においては、第１実施形態と同様に、それぞれのパネル片２１の下部に錘片部３１が着脱自在に取り付けられている。錘片部３１は、パネル片２１と同様な可撓性樹脂シートを用いることができる。錘片部３１の取り付けは、ボルト及びナット、面ファスナー、その他の手段によって行うことができる。錘片部３１は、それぞれのパネル片２１の重量を増加させるものであり、錘片部３１を取り付けることにより、パネル片２１は垂直状に吊り下げられた状態を確実に維持することができる。なお、パネル片２１だけで垂直状の吊り下げ状態を確保できる場合には、錘片部３１を取り付ける必要がなくなる。
【００６５】
本発明は、以上の実施形態に限定されることなく種々変形が可能である。例えば、第１実施形態〜第３実施形態においては、仕切りパネル５を複数のパネル片の重ね合わせによって形成することなく１枚の透明な可撓性樹脂シートによって形成しても良い。又、仕切りパネル５及び錘片３０を着脱自在とすることなく、仕切りパネル５を接着や溶着等により支持フレーム１７、６４に固定しても良く、錘片３０を仕切りパネル５に接着により固定しても良い。さらに、パネル片２１の重ね合わせ部２３を全長にわたってパネル片２１の本体部２２に接着しても良い。さらに、又、錘片３０やブラシ体３７を省いても良い。
【図面の簡単な説明】
【００６６】
【図１】本発明の第１実施形態の全体構成を正面から示す断面図である。
【図２】第１実施形態の移動体部分を示す平面図である。
【図３】第１実施形態の支持アーム部分を示す平面図である。
【図４】（ａ）は仕切りパネルの構造を示す分解斜視図、（ｂ）は断面図である。
【図５】仕切りパネルを作成する工程を示す正面図である。
【図６】本発明の第２実施形態を示す部分断面図である。
【図７】本発明の第３実施形態の平面図である。
【図８】本発明の第３実施形態の正面図である。
【図９】本発明の第４実施形態の正面図である。
【符号の説明】
【００６７】
１、５１  循環風除装置
２、５２  案内壁
３、５３  ブロック体
４  移動体
５  仕切りパネル
７、５７  通路
８、５８  床面
１１  回転体
１３  ショーウィンド壁
１５  駆動源
１７、６４  支持アーム部
２１  パネル片
２２  本体部
２３  重ね合わせ部
３０  錘片
３１  錘片部
３９  ブラシ
【図１】
2010121279.tif 000003
【図２】
2010121279.tif 000004
【図３】
2010121279.tif 000005
【図４】
2010121279.tif 000006
【図５】
2010121279.tif 000007
【図６】
2010121279.tif 000008
【図７】
2010121279.tif 000009
【図８】
2010121279.tif 000010
【図９】
2010121279.tif 000011